(57)【要約】【課題】コンテンツを配信する際に行われる認証処理に要する時間を削減する。【解決手段】コンテンツ配信システムは、コンテンツを記憶している記憶装置、コンテンツの利用に対する認証処理を行う認証装置、及び、近距離無線アクセス装置を具備する。近距離無線アクセス装置は、コンテンツの利用を要求する要求情報に対して認証装置が認証した該要求情報の送信元を識別する識別情報を記憶する認証部と、認証装置により認証された送信元が要求するコンテンツを記憶装置から取得して記憶する記憶部と、無線通信を通じてコンテンツの送信を要求されると、要求元を識別する識別情報が認証部に記憶されているか否かを判定し、識別情報が認証部に記憶されている場合、記憶部に記憶されているコンテンツを要求元に送信する制御部と、を備え、認証装置は、要求情報を受け付けた際に指定された近距離無線アクセス装置に対して識別情報を送信する。【選択図】図１
2014127098.tif 000002
【特許請求の範囲】
【請求項１】
コンテンツを記憶している記憶装置、前記コンテンツの利用に対する認証処理を行う認証装置、及び、近距離無線アクセス装置を具備するコンテンツ配信システムであって、
前記認証装置は、コンテンツの利用を要求する要求情報を認証すると、該要求情報を受け付けた際に指定された前記近距離無線アクセス装置に対して該要求情報の送信元を識別する識別情報を送信し、
前記近距離無線アクセス装置は、
前記認証装置から送信された識別情報を記憶する認証部と、
前記要求情報により要求されたコンテンツを前記記憶装置から取得して記憶する記憶部と、
無線通信を通じてコンテンツの送信を要求されると、要求元を識別する識別情報が前記認証部に記憶されているか否かを判定し、識別情報が前記認証部に記憶されている場合、前記記憶部に記憶されているコンテンツを前記要求元に送信する制御部と、
を備える
ことを特徴とするコンテンツ配信システム。
【請求項２】
コンテンツを記憶している記憶装置、前記コンテンツの利用に対する認証処理を行う認証装置、及び、近距離無線アクセス装置を具備するコンテンツ配信システムであって、
前記認証装置は、コンテンツの利用を要求する要求情報を認証すると、該要求情報を受け付けた際に指定された前記近距離無線アクセス装置に対して該要求情報の送信元を識別する識別情報を送信し、
前記近距離無線アクセス装置は、
前記認証装置から送信された識別情報を記憶する認証部と、
無線通信を通じてコンテンツの送信を要求されると、要求元を識別する識別情報が前記認証部に記憶されているか否かを判定し、識別情報が前記認証部に記憶されている場合、要求されたコンテンツを前記記憶装置から取得し、取得したコンテンツを前記要求元に送信する制御部と、
を備える
ことを特徴とするコンテンツ配信システム。
【請求項３】
請求項１又は請求項２のいずれかに記載のコンテンツ配信システムであって、
前記制御部は、
前記識別情報が前記認証部に記憶されていない場合、前記識別情報を前記認証装置に送信して認証処理を要求する
ことを特徴とするコンテンツ配信システム。
【請求項４】
請求項１から請求項３のいずれか一項に記載のコンテンツ配信システムであって、
コンテンツの利用を要求する要求情報を受け付けるアクセス装置と、
前記アクセス装置と前記近距離無線アクセス装置との対応関係を予め記憶している位置管理装置と、を更に具備し、
前記認証装置は、
前記要求情報を受け付けた際に指定された近距離無線アクセス装置に代えて、前記要求情報を受け付けたアクセス装置に対応する近距離無線アクセス装置に対して前記識別情報を送信する
ことを特徴とするコンテンツ配信システム。
【請求項５】
コンテンツを記憶している記憶装置、前記コンテンツの利用に対する認証処理を行う認証装置、及び、近距離無線アクセス装置を具備するコンテンツ配信システムにおけるコンテンツ配信方法であって、
前記認証装置が、コンテンツの利用を要求する要求情報を認証すると、該要求情報を受け付けた際に指定された前記近距離無線アクセス装置に対して該要求情報の送信元を識別する識別情報を送信する識別情報送信ステップと、
前記近距離無線アクセス装置において前記認証装置から送信された識別情報を認証部に記憶させる認証ステップと、
前記近距離無線アクセス装置において前記要求情報により要求されたコンテンツを前記記憶装置から取得して記憶部に記憶させる記憶ステップと、
無線通信を通じてコンテンツの送信を要求されると、要求元を識別する識別情報が前記認証部に記憶されているか否かを判定し、識別情報が前記認証部に記憶されている場合、前記記憶部に記憶されているコンテンツを前記要求元に送信する配信ステップと、
を有することを特徴とするコンテンツ配信方法。
【請求項６】
コンテンツを記憶している記憶装置、前記コンテンツの利用に対する認証処理を行う認証装置、及び、近距離無線アクセス装置を具備するコンテンツ配信システムにおけるコンテンツ配信方法であって、
前記認証装置が、コンテンツの利用を要求する要求情報を認証すると、該要求情報を受け付けた際に指定された前記近距離無線アクセス装置に対して該要求情報の送信元を識別する識別情報を送信する識別情報送信ステップと、
前記近距離無線アクセス装置において前記認証装置から送信された識別情報を認証部に記憶させる認証ステップと、
無線通信を通じてコンテンツの送信を要求されると、要求元を識別する識別情報が前記認証部に記憶されているか否かを判定し、識別情報が前記認証部に記憶されている場合、要求されたコンテンツを前記記憶装置から取得し、取得したコンテンツを前記要求元に送信する配信ステップと、
を有することを特徴とするコンテンツ配信方法。
【請求項７】
請求項５又は請求項６のいずれかに記載のコンテンツ配信方法であって、
前記配信ステップでは、
前記識別情報が前記認証部に記憶されていない場合、前記識別情報を前記認証装置に送信して認証処理を要求する
ことを特徴とするコンテンツ配信方法。
【請求項８】
請求項５から請求項７のいずれか一項に記載のコンテンツ配信方法において、
前記コンテンツ配信システムは、コンテンツの利用を要求する要求情報を受け付けるアクセス装置と、前記アクセス装置と前記近距離無線アクセス装置との対応関係を予め記憶している位置管理装置とを更に具備し、
前記識別情報送信ステップでは、
前記要求情報を受け付けた際に指定された前記近距離無線アクセス装置に代えて、前記要求情報を受け付けたアクセス装置に対応する近距離無線アクセス装置に対して前記識別情報を送信する
ことを特徴とするコンテンツ配信方法。
【発明の詳細な説明】
【技術分野】
【０００１】
本発明は、コンテンツ配信システム、及びコンテンツ配信方法に関する。
【背景技術】
【０００２】
サーバをサービスプロバイダのネットワークのエッジに配置し、コンテンツのコピーをエッジサーバに置き、ユーザを最も近いエッジサーバに誘導することで、負荷を分散するコンテンツ配信ネットワークがある（特許文献１）。また、コンテンツのキャッシュサーバをユーザ領域と公衆網の境界に設置し、コンテンツ配信側主導の効率的な管理構成を実現するシステムがある（特許文献２）。また、端末装置への配信のためのログイン方法とシステムに関して、ユーザを迅速かつ容易に識別し、ユーザの携帯型端末装置に相互接続するための方法がある（特許文献３）。
【先行技術文献】
【特許文献】
【０００３】
【特許文献１】米国特許第６１０８７０３号明細書
【特許文献２】特許第４２５４１００号明細書
【特許文献３】特表２００９−５３２９４６号公報
【発明の概要】
【発明が解決しようとする課題】
【０００４】
図１３は、コンテンツ配信システムの一構成例を示す図である。コンテンツ配信システムは、認証装置９１、記憶装置９２、及び、情報端末装置９３を具備している。認証装置９１、記憶装置９２、及び、情報端末装置９３は、ネットワーク９５を介して通信可能に接続されている。端末装置９６は、ユーザが利用する装置であって情報端末装置９３との通信機能を有している。
【０００５】
認証装置９１は、端末装置９６が情報端末装置９３との通信を開始した際に、端末装置９６がコンテンツ配信システムへ接続する許可を得ているか否かを判定する認証処理を行う。記憶装置９２は、端末装置９６に配信するコンテンツが記憶されている。情報端末装置９３は、端末装置９６に対する認証装置９１による判定結果に応じて、記憶装置９２に記憶されているコンテンツを取得し、端末装置９６に送信する。なお、情報端末装置９３と端末装置９６との通信は、無線通信又は有線通信のいずれであってもよい。
【０００６】
特許文献３には、情報端末装置９３がユーザを認証する機能を有する構成が記載されている。しかし、通信ネットワークが広く普及している近年では、通信網を介して、ユーザ又は端末装置９６に対する認証処理を行うことが一般的である。図１３に示すように、ネットワーク９５を介して認証処理を行う場合には、ネットワーク９５における通信回線速度や、認証装置９１のアクセス負荷によって認証処理に要する時間が左右されてしまうという問題がある。
【０００７】
本発明は、上記問題を解決すべくなされたもので、その目的は、コンテンツを配信する際に行われる認証処理に要する時間を削減することができるコンテンツ配信システム、及びコンテンツ配信方法を提供することにある。
【課題を解決するための手段】
【０００８】
上記問題を解決するために、本発明は、コンテンツを記憶している記憶装置、前記コンテンツの利用に対する認証処理を行う認証装置、及び、近距離無線アクセス装置を具備するコンテンツ配信システムであって、前記認証装置は、コンテンツの利用を要求する要求情報を認証すると、該要求情報を受け付けた際に指定された前記近距離無線アクセス装置に対して該要求情報の送信元を識別する識別情報を送信し、前記近距離無線アクセス装置は、前記認証装置から送信された識別情報を記憶する認証部と、前記要求情報により要求されたコンテンツを前記記憶装置から取得して記憶する記憶部と、無線通信を通じてコンテンツの送信を要求されると、要求元を識別する識別情報が前記認証部に記憶されているか否かを判定し、識別情報が前記認証部に記憶されている場合、前記記憶部に記憶されているコンテンツを前記要求元に送信する制御部と、を備えることを特徴とするコンテンツ配信システムである。
【０００９】
また、本発明は、コンテンツを記憶している記憶装置、前記コンテンツの利用に対する認証処理を行う認証装置、及び、近距離無線アクセス装置を具備するコンテンツ配信システムであって、前記認証装置は、コンテンツの利用を要求する要求情報を認証すると、該要求情報を受け付けた際に指定された前記近距離無線アクセス装置に対して該要求情報の送信元を識別する識別情報を送信し、前記近距離無線アクセス装置は、前記認証装置から送信された識別情報を記憶する認証部と、無線通信を通じてコンテンツの送信を要求されると、要求元を識別する識別情報が前記認証部に記憶されているか否かを判定し、識別情報が前記認証部に記憶されている場合、要求されたコンテンツを前記記憶装置から取得し、取得したコンテンツを前記要求元に送信する制御部と、を備えることを特徴とするコンテンツ配信システムである。
【００１０】
また、本発明は、上記に記載の発明において、前記制御部は、前記識別情報が前記認証部に記憶されていない場合、前記識別情報を前記認証装置に送信して認証処理を要求することを特徴とする。
【００１１】
また、本発明は、上記に記載の発明において、コンテンツの利用を要求する要求情報を受け付けるアクセス装置と、前記アクセス装置と前記近距離無線アクセス装置との対応関係を予め記憶している位置管理装置と、を更に具備し、前記認証装置は、前記要求情報を受け付けた際に指定された近距離無線アクセス装置に代えて、前記要求情報を受け付けたアクセス装置に対応する近距離無線アクセス装置に対して前記識別情報を送信することを特徴とする。
【００１２】
また、本発明は、コンテンツを記憶している記憶装置、前記コンテンツの利用に対する認証処理を行う認証装置、及び、近距離無線アクセス装置を具備するコンテンツ配信システムにおけるコンテンツ配信方法であって、前記認証装置が、コンテンツの利用を要求する要求情報を認証すると、該要求情報を受け付けた際に指定された前記近距離無線アクセス装置に対して該要求情報の送信元を識別する識別情報を送信する識別情報送信ステップと、前記近距離無線アクセス装置において前記認証装置から送信された識別情報を認証部に記憶させる認証ステップと、前記近距離無線アクセス装置において前記要求情報により要求されたコンテンツを前記記憶装置から取得して記憶部に記憶させる記憶ステップと、無線通信を通じてコンテンツの送信を要求されると、要求元を識別する識別情報が前記認証部に記憶されているか否かを判定し、識別情報が前記認証部に記憶されている場合、前記記憶部に記憶されているコンテンツを前記要求元に送信する配信ステップと、を有することを特徴とするコンテンツ配信方法である。
【００１３】
また、本発明は、コンテンツを記憶している記憶装置、前記コンテンツの利用に対する認証処理を行う認証装置、及び、近距離無線アクセス装置を具備するコンテンツ配信システムにおけるコンテンツ配信方法であって、前記認証装置が、コンテンツの利用を要求する要求情報を認証すると、該要求情報を受け付けた際に指定された前記近距離無線アクセス装置に対して該要求情報の送信元を識別する識別情報を送信する識別情報送信ステップと、前記近距離無線アクセス装置において前記認証装置から送信された識別情報を認証部に記憶させる認証ステップと、無線通信を通じてコンテンツの送信を要求されると、要求元を識別する識別情報が前記認証部に記憶されているか否かを判定し、識別情報が前記認証部に記憶されている場合、要求されたコンテンツを前記記憶装置から取得し、取得したコンテンツを前記要求元に送信する配信ステップと、を有することを特徴とするコンテンツ配信方法である。
【００１４】
また、本発明は、前記配信ステップでは、前記識別情報が前記認証部に記憶されていない場合、前記識別情報を前記認証装置に送信して認証処理を要求することを特徴とする。
【００１５】
また、本発明は、前記コンテンツ配信システムは、コンテンツの利用を要求する要求情報を受け付けるアクセス装置と、前記アクセス装置と前記近距離無線アクセス装置との対応関係を予め記憶している位置管理装置とを更に具備し、前記識別情報送信ステップでは、前記要求情報を受け付けた際に指定された前記近距離無線アクセス装置に代えて、前記要求情報を受け付けたアクセス装置に対応する近距離無線アクセス装置に対して前記識別情報を送信することを特徴とする。
【発明の効果】
【００１６】
この発明によれば、認証処理を行った上で端末装置の端末識別番号を近距離無線アクセス装置に記憶させておくことにより、コンテンツを配信する際の端末装置に対する認証を端末識別番号に基づいて近距離無線アクセス装置が行うことができ、認証処理に要する時間を削減することができる。
【図面の簡単な説明】
【００１７】
【図１】本発明に係る第１の実施形態におけるコンテンツ配信システムの構成例を示す概略ブロック図である。
【図２】同実施形態における端末装置６の構成例を示す概略ブロック図である。
【図３】同実施形態における無線アクセス装置４の構成例を示す概略ブロック図である。
【図４】同実施形態における近距離無線アクセス装置３の構成例を示す概略ブロック図である。
【図５】同実施形態におけるコンテンツ配信システムと端末装置６との間で行われるコンテンツ選択処理を示すフローチャートである。
【図６】同実施形態におけるコンテンツ配信システムと端末装置６との間で行われるコンテンツ取得処理を示すフローチャートである。
【図７】第２の実施形態における近距離無線アクセス装置３Ａの構成例を示す概略ブロック図である。
【図８】同実施形態におけるコンテンツ配信システムと端末装置６との間で行われるコンテンツ選択処理を示すフローチャートである。
【図９】同実施形態におけるコンテンツ配信システムと端末装置６との間で行われるコンテンツ取得処理を示すフローチャートである。
【図１０】第３の実施形態におけるコンテンツ配信システムの構成例を示す概略ブロック図である。
【図１１】同実施形態におけるコンテンツ配信システムと端末装置６との間で行われるコンテンツ選択処理を示すフローチャートである。
【図１２】第４の実施形態におけるコンテンツ配信システムと端末装置６との間で行われるコンテンツ選択処理を示すフローチャートである。
【図１３】コンテンツ配信システムの一構成例を示す図である。
【発明を実施するための形態】
【００１８】
以下、図面を参照して、本発明に係る実施形態におけるコンテンツ配信システム、及びコンテンツ配信方法を説明する。
【００１９】
（第１の実施形態）
図１は、本発明に係る第１の実施形態におけるコンテンツ配信システムの構成例を示す概略ブロック図である。本実施形態におけるコンテンツ配信システムは、認証サーバ１、コンテンツサーバ２、近距離無線アクセス装置３、及び、無線アクセス装置４を具備している。認証サーバ１、コンテンツサーバ２、近距離無線アクセス装置３、及び、無線アクセス装置４は、ネットワーク５を介して通信可能に接続されている。
【００２０】
認証サーバ１は、ユーザが利用する端末装置６がコンテンツ配信システムに接続しコンテンツの提供を受けることが許可されているか否かを判定する認証処理を行う。コンテンツサーバ２は、端末装置６に配信するコンテンツが記憶されている。近距離無線アクセス装置３は、端末装置６と無線通信を行う機能を有している。近距離無線アクセス装置３は、認証された端末装置６に対して、コンテンツサーバ２に記憶されているコンテンツを配信する。無線アクセス装置４は、端末装置６と無線通信を行う機能を有している。
【００２１】
無線アクセス装置４は、例えば、無線ＬＡＮのアクセスポイントであり、商業施設や公共施設、ユーザ宅などに位置する。近距離無線アクセス装置３は、例えば、キヨスク端末や、サイネージ端末などである。近距離無線アクセス装置３は、例えば、ＮＦＣ（Near Field Communication）やＴｒａｎｓｆｅｒＪｅｔ（登録商標）などの近距離無線通信方式などを利用して端末装置６と無線通信を行う。
【００２２】
端末装置６は、ユーザの操作に応じて、無線アクセス装置４や近距離無線アクセス装置３と無線通信を行う。また、端末装置６は、ユーザの操作に応じて、無線アクセス装置４を介して、予め取得したコンテンツとコンテンツを取得する場所を指定する。ここで、場所とは、近距離無線アクセス装置３が設置されている場所である。
【００２３】
図２は、本実施形態における端末装置６の構成例を示す概略ブロック図である。端末装置６は、第１の無線部６１、第２の無線部６２、認証部６３、記憶部６４、及び、制御部６５を備えている。第１の無線部６１は無線アクセス装置４と無線通信を行う。第２の無線部６２は近距離無線アクセス装置３と無線通信を行う。認証部６３は、端末装置６を識別するための端末識別番号と暗号鍵とを記憶している。また、認証部６３は、第１の無線部６１を介して認証サーバ１と通信を行い、端末装置６に対する認証処理を要求する。記憶部６４は、取得したコンテンツを記憶する。制御部６５は、端末装置６に備えられている各部を制御する。
【００２４】
図３は、本実施形態における無線アクセス装置４の構成例を示す概略ブロック図である。無線アクセス装置４は、無線部４１、ネットワークインタフェース部４２、及び、制御部４３を備えている。無線部４１は、端末装置６に備えられている第１の無線部６１と無線通信を行う。ネットワークインタフェース部４２はネットワーク５に接続されており、ネットワーク５を介して認証サーバ１及びコンテンツサーバ２と通信をする。制御部４３は、無線アクセス装置４に備えられている各部の制御をし、無線部４１と無線通信をしている端末装置６にネットワーク５を介した通信を提供する。
【００２５】
図４は、本実施形態における近距離無線アクセス装置３の構成例を示す概略ブロック図である。近距離無線アクセス装置３は、無線部３１、認証部３２、記憶部３３、ネットワークインタフェース部３４、及び、制御部３５を備えている。無線部３１は、端末装置６に備えられている第２の無線部６２と無線通信を行う。認証部３２は、無線部３１との無線通信が許可されている端末装置６の端末識別番号を記憶している。また、認証部３２は、無線部３１に対して端末装置６から無線通信を行う要求があると、記憶している端末識別番号に基づいて、当該端末装置６に対する接続の可否を判定する。記憶部３３は、コンテンツサーバ２から配信されたコンテンツを記憶する。ネットワークインタフェース部３４は、ネットワーク５に接続されており、ネットワーク５を介して認証サーバ１及びコンテンツサーバ２と通信をする。制御部３５は、近距離無線アクセス装置３に備えられている各部の制御をする。
【００２６】
図５は、本実施形態におけるコンテンツ配信システムと端末装置６との間で行われるコンテンツ選択処理を示すフローチャートである。
端末装置６において、第１の無線部６１が無線アクセス装置４との通信を確立し（ステップＳ１０１）、制御部６５が、無線アクセス装置４及びネットワーク５を介して、認証サーバ１との間で認証処理を実施する（ステップＳ１０２）。認証処理では、制御部６５が認証部６３に記憶されている端末識別番号及び暗号鍵を認証サーバ１に送信する。そして、認証サーバ１が、端末装置６から送信された端末識別番号及び暗号鍵に基づいて、端末装置６がコンテンツ配信システムの利用を許可されているか否かを判定する。なお、端末装置６が認証されない場合、コンテンツ選択処理は終了する。
【００２７】
端末装置６が認証されると、制御部６５は、ユーザの操作に応じて、コンテンツを選択し（ステップＳ１０３）、選択したコンテンツを取得したい場所を選択し（ステップＳ１０４）、自装置の端末識別番号、選択したコンテンツを示す情報、及び選択した場所を示す情報を含む設定情報を認証サーバ１及びコンテンツサーバ２に送信する。
認証サーバ１は、端末装置６から設定情報を受信すると、設定情報に含まれる場所に対応する近距離無線アクセス装置３に対して、設定情報を送信した端末装置６の端末識別番号を送信する。近距離無線アクセス装置３において、制御部３５は、ネットワークインタフェース部３４を介して認証サーバ１から受信した端末識別番号を認証部３２に記憶させる（ステップＳ１０５）。
【００２８】
コンテンツサーバ２は、端末装置６から設定情報を受信すると、設定情報が示すコンテンツを、当該情報が示す場所に対応する近距離無線アクセス装置３に送信する。近距離無線アクセス装置３において、制御部３５、ネットワークインタフェース部３４を介してコンテンツサーバ２から受信したコンテンツを記憶部３３に記憶させる（ステップＳ１０６）。
以上の処理により、認証された端末装置６は、コンテンツ配信システムに対して取得したいコンテンツとコンテンツを取得する場所とを登録することができる。
【００２９】
図６は、本実施形態におけるコンテンツ配信システムと端末装置６との間で行われるコンテンツ取得処理を示すフローチャートである。
端末装置６において、第２の無線部６２が近距離無線アクセス装置３との通信を確立し（ステップＳ２０１）、制御部６５が、第２の無線部６２を介して、自装置の端末識別番号及び暗号鍵と取得したいコンテンツを示す情報とを含む要求情報を近距離無線アクセス装置３に送信する。
【００３０】
近距離無線アクセス装置３において、無線部３１が端末装置６から要求情報を受信する。制御部３５は、受信した要求情報に含まれる端末識別番号が認証部３２に記憶されているか否かを判定する（ステップＳ２０２）。
【００３１】
受信した端末識別番号が認証部３２に記憶されている場合（ステップＳ２０２：ＹＥＳ）、制御部３５は、要求情報に含まれるコンテンツを示す情報に対応するコンテンツを記憶部３３から読み出す。制御部３５は、読み出したコンテンツを、無線部３１を介して端末装置６に送信する。端末装置６において、第２の無線部６２が近距離無線アクセス装置３からコンテンツを受信すると、制御部６５がコンテンツを記憶部６４に記憶させる（ステップＳ２０３）。
【００３２】
一方、受信した端末識別番号が認証部３２に記憶されていない場合（ステップＳ２０２：ＮＯ）、制御部３５は、端末装置６から受信した要求情報に含まれる端末識別番号及び暗号鍵を、ネットワークインタフェース部３４及びネットワーク５を介して認証サーバ１に送信し、認証処理を要求する（ステップＳ２０４）。
【００３３】
認証処理の結果、端末装置６が認証された場合（ステップＳ２０４：ＯＫ）、制御部３５は、要求情報に含まれるコンテンツを示す情報を、ネットワークインタフェース部３４及びネットワーク５を介してコンテンツサーバ２に送信してコンテンツを要求する。制御部３５は、ネットワークインタフェース部３４を介してコンテンツサーバ２から受信したコンテンツを、無線部３１を介して端末装置６に送信する。端末装置６において、第２の無線部６２が近距離無線アクセス装置３からコンテンツを受信すると、制御部６５がコンテンツを記憶部６４に記憶させる（ステップＳ２０５）。
【００３４】
端末装置６が認証されなかった場合（ステップＳ２０４：ＮＧ）、制御部３５は、無線部３１に対して、要求情報を送信した端末装置６との通信を停止させる。
以上の処理により、認証された端末装置６は、コンテンツ選択処理において選択したコンテンツを、選択した近距離無線アクセス装置３において取得することができる。
なお、近距離無線アクセス装置３において、コンテンツを端末装置６に転送した後に、認証部３２に記憶されている端末識別番号を削除するようにしてもよい。
【００３５】
（第２の実施形態）
図７は、第２の実施形態における近距離無線アクセス装置３Ａの構成例を示す概略ブロック図である。近距離無線アクセス装置３Ａは、無線部３１、認証部３２、ネットワークインタフェース部３４、及び、制御部３５を備えている。近距離無線アクセス装置３Ａは、コンテンツを記憶する記憶部３３を備えていない点が第１の実施形態における近距離無線アクセス装置３（図４）と異なる。
【００３６】
なお、近距離無線アクセス装置３Ａにおいて、第１の実施形態と同じ各部には同じ符号を付して、その説明を省略する。また、本実施形態におけるコンテンツ配信システムにおいて、他の構成は第１の実施形態と同じ構成であるので、その説明を省略する。本実施形態のコンテンツ配信システムでは、近距離無線アクセス装置３Ａの要求に応じて、コンテンツサーバ２がコンテンツを配信する。
【００３７】
図８は、本実施形態におけるコンテンツ配信システムと端末装置６との間で行われるコンテンツ選択処理を示すフローチャートである。
端末装置６において、第１の無線部６１が無線アクセス装置４との通信を確立し（ステップＳ３０１）、制御部６５が、無線アクセス装置４及びネットワーク５を介して、認証サーバ１との間で認証処理を実施する（ステップＳ３０２）。
【００３８】
端末装置６が認証されると、制御部６５は、ユーザの操作に応じて、コンテンツを選択し（ステップＳ３０３）、選択したコンテンツを取得したい場所を選択し（ステップＳ３０４）、自装置の端末識別番号、選択したコンテンツを示す情報、及び選択した場所を示す情報を含む設定情報を認証サーバ１及びコンテンツサーバ２に送信する。
【００３９】
認証サーバ１は、端末装置６から設定情報を受信すると、設定情報に含まれる場所に対応する近距離無線アクセス装置３に対して、設定情報を送信した端末装置６の端末識別番号を送信する。近距離無線アクセス装置３において、制御部３５は、ネットワークインタフェース部３４を介して認証サーバ１から受信した端末識別番号を認証部３２に記憶させる（ステップＳ３０５）。
【００４０】
以上の処理により、認証された端末装置６は、コンテンツ配信システムに対してコンテンツを取得する場所を登録することができる。
【００４１】
図９は、本実施形態におけるコンテンツ配信システムと端末装置６との間で行われるコンテンツ取得処理を示すフローチャートである。
端末装置６において、第２の無線部６２が近距離無線アクセス装置３Ａと通信を確立し（ステップＳ４０１）、制御部６５が、第２の無線部６２を介して、自装置の端末識別番号及び暗号鍵と取得したいコンテンツを示す情報とを含む要求情報を近距離無線アクセス装置３Ａに送信する。
【００４２】
近距離無線アクセス装置３Ａにおいて、無線部３１が端末装置６から要求情報を受信する。制御部３５は、受信した要求情報に含まれる端末識別番号が認証部３２に記憶されているか否かを判定する（ステップＳ４０２）。
【００４３】
受信した端末識別番号が認証部３２に記憶されている場合（ステップＳ４０２：ＹＥＳ）、制御部３５は、要求情報に含まれるコンテンツを示す情報を、ネットワークインタフェース部３４及びネットワーク５を介してコンテンツサーバ２に送信してコンテンツを要求する。制御部３５は、ネットワークインタフェース部３４を介してコンテンツサーバ２から受信したコンテンツを、無線部３１を介して端末装置６に送信する。端末装置６において、第２の無線部６２が近距離無線アクセス装置３Ａからコンテンツを受信すると、制御部６５がコンテンツを記憶部６４に記憶させる（ステップＳ４０３）。
【００４４】
一方、受信した端末識別番号が認証部３２に記憶されていない場合（ステップＳ４０２：ＮＯ）、制御部３５は、端末装置６から受信した要求情報に含まれる端末識別番号及び暗号鍵を、ネットワークインタフェース部３４及びネットワーク５を介して認証サーバ１に送信し、認証処理を要求する（ステップＳ４０４）。
【００４５】
認証処理の結果、端末装置６が認証された場合（ステップＳ４０４：ＯＫ）、制御部３５は、上述したステップＳ４０３と同じ処理を行い、端末装置６においてコンテンツが記憶部６４に記憶される。
端末装置６が認証されなかった場合（ステップＳ４０４：ＮＧ）、制御部３５は、無線部３１に対して、要求情報を送信した端末装置６との通信を停止させる。
【００４６】
以上の処理により、認証された端末装置６は、コンテンツ選択処理において選択したコンテンツを、選択した近距離無線アクセス装置３において取得することができる。
なお、近距離無線アクセス装置３において、コンテンツを端末装置６に転送した後に、認証部３２に記憶されている端末識別番号を削除するようにしてもよい。
【００４７】
（第３の実施形態）
図１０は、第３の実施形態におけるコンテンツ配信システムの構成例を示す概略ブロック図である。本実施形態におけるコンテンツ配信システムは、認証サーバ１、コンテンツサーバ２、近距離無線アクセス装置３、無線アクセス装置４、及び、位置管理装置７を具備している。認証サーバ１、コンテンツサーバ２、近距離無線アクセス装置３、無線アクセス装置４、及び、位置管理装置７は、ネットワーク５を介して通信可能に接続されている。本実施形態のコンテンツ配信システムでは、無線アクセス装置４と近距離無線アクセス装置３とのペアリングを行う。本実施形態のコンテンツ配信システムにおいて、第１の実施形態のコンテンツ配信システム（図１）と同じ構成には同じ符号を付して、その説明を省略する。
【００４８】
本実施形態のコンテンツ配信システムでは、位置管理装置７を具備している点が第１の実施形態におけるコンテンツ配信システムと異なる。位置管理装置７は、無線アクセス装置４と対になる近距離無線アクセス装置３を管理する。より詳細には、位置管理装置７は、無線アクセス装置４ごとに対応する近距離無線アクセス装置３を予め記憶し、他の装置からの要求に応じて、無線アクセス装置４に対応する近距離無線アクセス装置３を通知する。
【００４９】
図１１は、本実施形態におけるコンテンツ配信システムと端末装置６との間で行われるコンテンツ選択処理を示すフローチャートである。
端末装置６において、第１の無線部６１が無線アクセス装置４との通信を確立し（ステップＳ５０１）、制御部６５が、無線アクセス装置４及びネットワーク５を介して、認証サーバ１との間で認証処理を実施する（ステップＳ５０２）。
【００５０】
端末装置６が認証されると、制御部６５は、ユーザの操作に応じて、コンテンツを選択し（ステップＳ５０３）、自装置の端末識別番号、自装置が接続している無線アクセス装置４を識別する識別情報、及びコンテンツを示す情報を含む設定情報を認証サーバ１、コンテンツサーバ２及び位置管理装置７に送信する。
位置管理装置７は、端末装置６から設定情報を受信すると、設定情報に含まれる識別情報が示す無線アクセス装置４に対応する近距離無線アクセス装置３を検索し、検索により得られた近距離無線アクセス装置３を示す検索結果を認証サーバ１及びコンテンツサーバ２に送信する（ステップＳ５０４）。
【００５１】
認証サーバ１は、端末装置６から設定情報を受信し、位置管理装置７から検索結果を受信すると、設定情報を送信した端末装置６の端末識別番号を検索結果が示す近距離無線アクセス装置３に送信する。近距離無線アクセス装置３において、制御部３５は、ネットワークインタフェース部３４を介して認証サーバ１から受信した端末識別番号を認証部３２に記憶させる（ステップＳ５０５）。
【００５２】
コンテンツサーバ２は、端末装置６から設定情報を受信し、位置管理装置７から検索結果を受信すると、設定情報が示すコンテンツを検索結果が示す近距離無線アクセス装置３に送信する。近距離無線アクセス装置３において、制御部３５は、ネットワークインタフェース部３４を介してコンテンツサーバ２から受信したコンテンツを記憶部３３に記憶させる（ステップＳ５０６）。
【００５３】
以上の処理により、認証された端末装置６は、コンテンツ配信システムに対して取得したいコンテンツとコンテンツを取得する場所とを登録することができる。
なお、設定情報に無線アクセス装置４を識別する識別情報を含めずとも、設定情報が伝送された経路情報などに基づいて無線アクセス装置４を特定するようにしてもよい。
本実施形態のコンテンツ配信システムにおけるコンテンツ取得処理は、第１の実施形態におけるコンテンツ取得処理（図６）と同じであるので、その説明を省略する。
【００５４】
（第４の実施形態）
第４の実施形態におけるコンテンツ配信システムは、第３の実施形態におけるコンテンツ配信システムの変形例であり、第２の実施形態と同様に、近距離無線アクセス装置３に代えて近距離無線アクセス装置３Ａを具備する。
図１２は、第４の実施形態におけるコンテンツ配信システムと端末装置６との間で行われるコンテンツ選択処理を示すフローチャートである。
【００５５】
端末装置６において、第１の無線部６１が無線アクセス装置４との通信を確立し（ステップＳ６０１）、制御部６５が、無線アクセス装置４及びネットワーク５を介して、認証サーバ１との間で認証処理を実施する（ステップＳ６０２）。
端末装置６が認証されると、制御部６５は、ユーザの操作に応じて、コンテンツを選択し（ステップＳ６０３）、自装置の端末識別番号、自装置が接続している無線アクセス装置４を識別する識別情報、及びコンテンツを示す情報を含む設定情報を認証サーバ１及び位置管理装置７に送信する。
【００５６】
位置管理装置７は、端末装置６から設定情報を受信すると、設定情報に含まれる識別情報が示す無線アクセス装置４に対応する近距離無線アクセス装置３を検索し、検索により得られた近距離無線アクセス装置３を示す検索結果を認証サーバ１に送信する（ステップＳ６０４）。
【００５７】
認証サーバ１は、端末装置６から設定情報を受信し、位置管理装置７から検索結果を受信すると、設定情報を送信した端末装置６の端末識別番号を検索結果が示す近距離無線アクセス装置３に送信する。近距離無線アクセス装置３において、制御部３５は、ネットワークインタフェース部３４を介して認証サーバ１から受信した端末識別番号を認証部３２に記憶させる（ステップＳ６０５）。
【００５８】
以上の処理により、認証された端末装置６は、コンテンツ配信システムに対してコンテンツを取得する場所を登録することができる。
なお、設定情報に無線アクセス装置４を識別する識別情報を含めずとも、設定情報が伝送された経路情報などに基づいて無線アクセス装置４を特定するようにしてもよい。
本実施形態のコンテンツ配信システムにおけるコンテンツ取得処理は、第２の実施形態におけるコンテンツ取得処理（図９）と同じであるので、その説明を省略する。
【００５９】
上述した各実施形態におけるコンテンツ配信システムでは、端末装置６の認証を行った上で、コンテンツを取得したい場所（近距離無線アクセス装置３）を指定し、指定した近距離無線アクセス装置３に端末装置６の端末識別番号を事前に登録する。これにより、端末装置６が近距離無線アクセス装置３と接続してコンテンツの配信を受ける際には、近距離無線アクセス装置３における処理のみで認証処理に相当する処理を行うことができ、ネットワーク５を介して認証サーバ１に認証処理を要求する必要がなくなる。
その結果、コンテンツを配信する際における認証サーバ１による認証処理を省くことが可能となり、迅速な認証処理が実現可能となる。また、ネットワーク５における通信速度や認証サーバ１の負荷に左右されることなく、コンテンツを配信する際に行われる認証処理に要する時間を削減することができる。
【００６０】
また、上述の第１及び第３の実施形態におけるコンテンツ配信システムでは、近距離無線アクセス装置３に端末装置６の端末識別番号を事前に登録したときに、端末装置６が取得したいコンテンツも近距離無線アクセス装置３に記憶させる。これにより、端末装置６がコンテンツを取得する際に、ネットワーク５を経由してコンテンツサーバ２からコンテンツを取得する必要がない。すなわち、ネットワーク５の回線速度やコンテンツサーバ２の負荷の影響を受けることがないので、近距離無線アクセス装置３から端末装置６への迅速なコンテンツ転送が実現可能となる。更に、近距離無線アクセス装置３には、ユーザが希望するコンテンツのみを記憶すればよいので、近距離無線アクセス装置３の記憶部３３の記憶容量を効率的に活用することが可能となる。
【００６１】
なお、上述の実施形態における近距離無線アクセス装置３や無線アクセス装置４の機能を実現するためのプログラムをコンピュータ読み取り可能な記録媒体に記録して、この記録媒体に記録されたプログラムをコンピュータシステムに読み込ませ、実行することによりコンテンツ選択処理やコンテンツ取得処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。更に、前述した機能をコンピュータシステムに既に記録されているプログラムとの組み合わせで実現できるもの、いわゆる差分ファイル（差分プログラム）であっても良い。
【００６３】
なお、上述の各実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
例えば、上記の各実施形態では、コンテンツ配信システムが１つの近距離無線アクセス装置３又は近距離無線アクセス装置３Ａと、１つの無線アクセス装置４とを具備している構成例を示した。しかし、これに限ることなく、コンテンツ配信システムが、複数の近距離無線アクセス装置３又は近距離無線アクセス装置３Ａと、複数の無線アクセス装置４を具備していてもよい。
【００６４】
また、上述の各実施形態では、コンテンツ配信システムが認証サーバ１とコンテンツサーバ２との異なる装置を具備している構成例を示した。しかし、認証サーバ１とコンテンツサーバ２とが１つのサーバにより構成されていてもよい。
また、コンテンツを取得する場所を指定する際には、近距離無線アクセス装置３を個別に指定するのではなく、施設の名称（駅やビル、商業施設）などを指定し、当該施設に設置されている複数の近距離無線アクセス装置３を、コンテンツを取得する場所として選択するようにしてもよい。
【００６５】
また、上述の各実施形態では、端末装置６は、第１の無線部６１と第２の無線部６２とを備える構成例を示した。しかし、端末装置６は、１つの無線部を備え、当該無線部により近距離無線アクセス装置３や無線アクセス装置４と無線通信を行うようにしてもよい。
また、上述の各実施形態における無線アクセス装置４は、ネットワーク５を介して認証サーバ１やコンテンツサーバ２に対するアクセスを端末装置６に提供することができればよく、有線回線を用いて端末装置６と通信を行うようにしてもよい。また、近距離無線アクセス装置３が無線アクセス装置４の処理を代わりに行うようにしてもよい。
【符号の説明】
【００６６】
１  認証サーバ（認証装置）
２  コンテンツサーバ（記憶装置）
３、３Ａ  近距離無線アクセス装置
４  無線アクセス装置
５  ネットワーク
６  端末装置
７  位置管理装置
３１  無線部
３２  認証部
３３  記憶部
３４  ネットワークインタフェース部
３５  制御部
４１  無線部
４２  ネットワークインタフェース部
４３  制御部
６１  第１の無線部
６２  第２の無線部
６３  認証部
６４  記憶部
６５  制御部
９１  認証装置
９２  記憶装置
９３  情報端末装置
９５  ネットワーク
９６  端末装置
【図１】
2014127098.tif 000003
【図２】
2014127098.tif 000004
【図３】
2014127098.tif 000005
【図４】
2014127098.tif 000006
【図５】
2014127098.tif 000007
【図６】
2014127098.tif 000008
【図７】
2014127098.tif 000009
【図８】
2014127098.tif 000010
【図９】
2014127098.tif 000011
【図１０】
2014127098.tif 000012
【図１１】
2014127098.tif 000013
【図１２】
2014127098.tif 000014
【図１３】
2014127098.tif 000015